(57)【要約】【課題】スピーカと発電機の両方の機能を有することが可能な電気機械変換器を提供する。【解決手段】磁気回路に設けた磁気ギャップ内に配設されたボイスコイル２８に、外部振動を付加したときに発生する逆起電力を取り出す第１モード５１と、オーディオ聴取時に前記第１モード５１を開放して前記ボイスコイル２８にオーディオ信号を供給する第２モード５２とを含むスイッチ５０を備えた電気機械変換器７５であり、この構成により、電気機械変換器はスピーカとして電力を消費するだけでなく、発電機としての働きをすることができるので、トータル的に電力消費を抑制し、バッテリー上がりを軽減することが可能となる。【選択図】  図１
2004221743.tif 000002
【特許請求の範囲】
【請求項１】
磁気回路に設けた磁気ギャップ内に配設されたボイスコイルに、外部振動を付加したときに発生する逆起電力を取り出す第１モード位置と、オーディオ聴取時に前記第１モード位置を開放して前記ボイスコイルにオーディオ信号を供給する第２モード位置とを含むスイッチを備えた電気機械変換器。
【請求項２】
磁気回路に設けた磁気ギャップ内に配設されたボイスコイルに、当該ボイスコイルに作用する振動により発生する逆起電力を取り出す補助コイルを並設した電気機械変換器。
【請求項３】
ボイスコイルに作用する外部振動にて発生する逆起電力を取り出すも、オーディオ聴取時に前記ボイスコイルにオーディオ信号を供給するスイッチを備えた請求項２記載の電気機械変換器。
【請求項４】
補助コイルには、当該補助コイルに作用する振動にて発生する逆起電力を取り出すも、オーディオ聴取時に前記補助コイルにオーディオ信号を供給するスイッチを備えた請求項２記載の電気機械変換器。
【請求項５】
スイッチは、通常逆起電力を取り出すモードに維持されるも、オーディオ聴取時に強制的にオーディオ信号を供給するモードに切り換え可能に構成した請求項３，４のいずれか一つに記載の電気機械変換器。
【請求項６】
発生した逆起電力を蓄える蓄電池を付加した請求項１〜５のいずれか一つに記載の電気機械変換器。
【請求項７】
発生した逆起電力を蓄える蓄電池を付加し、蓄電池にて発生した逆起電力を整流するための整流機能と蓄電池に充電するための充電機能とを付加した請求項１〜５のいずれか一つに記載の電気機械変換器。
【請求項８】
ボイスコイルを含む振動系部品において、この振動系部品のうち少なくとも一部品の重量を重くした請求項１〜５のいずれか一つに記載の電気機械変換器。
【請求項９】
ボイスコイルを含む振動系部品にウエイトを設けた請求項１〜５のいずれか一つに記載の電気機械変換器。
【請求項１０】
振動系部品に設けられたウエイトは、前記振動系部品に設けられた支持体により移動可能になるように備え付けられた請求項９に記載の電気機械変換器。
【請求項１１】
振動系部品に設けられたウエイトは、振動系部品に固定された固定フレーム部と、この固定フレーム部に対して移動可能になるように設けられた稼動部から構成した請求項９に記載の電気機械変換器。
【請求項１２】
稼動部の形状は、球体状である請求項１１記載の電気機械変換器。
【請求項１３】
ウエイトとして、少なくとも蓄電池を使用して構成した請求項９に記載の電気機械変換器。
【請求項１４】
ウエイトとして、蓄電機能、整流機能、または充電機能のいずれかを使用して構成した請求項９に記載の電気機械変換器。
【請求項１５】
請求項１〜４のいずれか一つに記載の電気機械変換器が複数搭載され、各々の電気機械変換器における振動系部品の振動方向を少なくとも２つ以上に異ならしめた移動体装置。
【発明の詳細な説明】
【０００１】
【発明の属する技術分野】
本発明は発電機とスピーカの両方の機能を有する電気機械変換器およびこれを用いた携帯電話、携帯パソコン、自動車等の移動体装置に関するものである。
【０００２】
【従来の技術】
従来の技術を図１６、図１７により説明する。図１６は従来の電気機械変換器の断面図、図１７は従来の電気機械変換器の使用状態を示したモジュールのブロックダイヤグラム図である。
【０００３】
図１６によると、着磁されたマグネット１を上部プレート２およびヨーク３により挟み込んで内磁型の磁気回路４を構成している。この磁気回路４の磁気ギャップ５にはまり込むようにボイスコイル８を結合している。このボイスコイル８に振動板７を結合し、この振動板７の外周部にフレーム６を接着して構成している。
【０００４】
図１７において、図１６に示した電気機械変換器と、この電気機械変換器を駆動するためのシステムが接続されている。このシステムは、蓄電池５０の電力を電源部５１に供給してプログラムソースを提供するプレーヤ部５２や通信機能部５３を駆動して、増幅部５４によりスピーカ５５を駆動できるレベルにまで増幅して、スピーカ５５に供給している。
【０００５】
一方、この蓄電池５０の電力を確保する手段としては、携帯電話や携帯パソコンのような、小型の通信端末装置では、装置の内部に設けられた蓄電池に、外部の充電装置５６に接続して充電することで電力を確保している。例えば、家庭用の一般交流電源コンセントからの電力によるものが多い。
【０００６】
また、自動車用の音響装置であれば、自動車に取り付けられた蓄電池から電力を確保しており、この自動車用の蓄電池は、自動車が走行することにより発電されたエネルギーを充電することで、繰り返し電力を確保することができる。
【０００７】
なお、この出願の発明に関連する先行技術文献情報としては、例えば、特許文献１が知られている。
【０００８】
【特許文献１】
特開２００２−１０１１７７号公報
【０００９】
【発明が解決しようとする課題】
上述の電気機械変換器に関しては、そのセットである携帯電話や自動車用の音響装置に代表されるように多機能化や大出力化が要求されてきている。
【００１０】
このため、携帯電話や自動車用の音響装置は、その消費電力が増大してきている。従来例からも理解できるように、これらの電気機械変換器については、蓄電池の電力を消費するのみで、何等蓄電に寄与する機能は有していない。
【００１１】
携帯電話の場合、フル充電しても使用可能時間が短くなったり、頻繁に充電を繰り返さなければならなかったりと煩わしい状態になりつつある。
【００１２】
また、自動車用の音響装置の場合、その消費電力が増大することにより自動車用の蓄電池に大きな負担がかかり、バッテリー上がりの一因になっていた。
【００１３】
以上のように、従来では消費電力の増大または蓄電池からの頻繁な電力供給により、蓄電池寿命の短命化、およびバッテリー上がりの要因になるという課題を有していた。
【００１４】
そこで本発明は、ボイスコイルに逆起電力を取り出すスイッチを設けることにより、スピーカ、発電機両方の働きをする電気機械変換器を提供することを目的とし、これによって装置のバッテリー上がりを軽減させることが可能となる。
【００１５】
【課題を解決するための手段】
そしてこの目的を達成するために、本発明の請求項１に記載の発明は、特に、磁気回路に設けた磁気ギャップ内に配設されたボイスコイルに、外部振動を付加したときに発生する逆起電力を取り出す第１モード位置と、オーディオ聴取時に前記第１モード位置を開放して前記ボイスコイルにオーディオ信号を供給する第２モード位置とを含むスイッチを備えた電気機械変換器であり、この構成により、電気機械変換器はスピーカとして電力を消費するだけでなく、発電機としての働きをすることができるので、トータル的に電力消費を抑制し、バッテリー上がりを軽減することが可能となる。
【００１６】
本発明の請求項２に記載の発明は、特に、磁気回路に設けた磁気ギャップ内に配設されたボイスコイルに、当該ボイスコイルに作用する振動により発生する逆起電力を取り出す補助コイルを並設した電気機械変換器であり、補助コイルを並設することによって、電気機械変換器の発電の効果を高めることが可能となる。
【００１７】
本発明の請求項３に記載の発明は、特に、ボイスコイルに作用する外部振動にて発生する逆起電力を取り出すも、オーディオ聴取時に前記ボイスコイルにオーディオ信号を供給するスイッチを備えた請求項２記載の電気機械変換器であり、この構成により、スピーカ発電時にボイスコイルによって逆起電力を取り出すことができるため、電気機械変換器の発電の効果をより高めることが可能となる。
【００１８】
本発明の請求項４に記載の発明は、特に、補助コイルには、当該補助コイルに作用する振動にて発生する逆起電力を取り出すも、オーディオ聴取時に前記補助コイルにオーディオ信号を供給するスイッチを備えた請求項２記載の電気機械変換器であり、この構成により、オーディオ聴取時に補助コイルもボイスコイルとしての働きをすることができるため、効率よくオーディオ信号を供給することが可能となる。
【００１９】
本発明の請求項５に記載の発明は、特に、スイッチは、通常逆起電力を取り出すモードに維持されるも、オーディオ聴取時に強制的にオーディオ信号を供給するモードに切り換え可能に構成した請求項３，４のいずれか一つに記載の電気機械変換器であり、この構成により、オーディオ信号の供給をより安定したものにすることが可能となる。
【００２０】
本発明の請求項６に記載の発明は、特に、発生した逆起電力を蓄える蓄電池を付加した請求項１〜５のいずれか一つに記載の電気機械変換器であり、この構成により、蓄電池によって逆起電力を蓄えることができるので、電気機械変換器はトータル的に電力消費を抑制することができる。
【００２１】
本発明の請求項７に記載の発明は、特に、発生した逆起電力を蓄える蓄電池を付加し、蓄電池にて発生した逆起電力を整流するための整流機能と蓄電池に充電するための充電機能とを付加した請求項１〜５のいずれか一つに記載の電気機械変換器であり、この構成により、整流機能と充電機能とを備えているため、外部の電子回路を必要とせずに電気機械変換器に整流機能と充電機能とを一体化して電気機械変換器を形成することができる。
【００２２】
本発明の請求項８に記載の発明は、特に、ボイスコイルを含む振動系部品において、この振動系部品のうち少なくとも一部品の重量を重くした請求項１〜５のいずれか一つに記載の電気機械変換器であり、この構成により、移動中の振動を重量の重い慣性モーメントで捉えることができるので、外部の振動エネルギーから電気エネルギーへの変換効率を向上させることができる。
【００２３】
本発明の請求項９に記載の発明は、特に、ボイスコイルを含む振動系部品にウエイトを設けた請求項１〜５のいずれか一つに記載の電気機械変換器であり、この構成により、ウエイトによって移動中の振動を重量の重い慣性モーメントで捉えることができるので、外部の振動エネルギーから電気エネルギーへの変換効率を向上させることができる。
【００２４】
本発明の請求項１０に記載の発明は、特に、振動系部品に設けられたウエイトは、前記振動系部品に設けられた支持体により移動可能になるように備え付けられた請求項９に記載の電気機械変換器であり、この構成により、ウエイトの支持体による慣性モーメントにより、外部の振動エネルギーから電気エネルギーへの変換効率を向上させることができる。
【００２５】
本発明の請求項１１に記載の発明は、特に、振動系部品に設けられたウエイトは、振動系部品に固定された固定フレーム部と、この固定フレーム部に対して移動可能になるように設けられた稼動部から構成した請求項９に記載の電気機械変換器であり、この構成により、ウエイトの稼動部による慣性モーメントにより、外部の振動エネルギーからの電気エネルギーへの変換効率を向上させることができる。
【００２６】
本発明の請求項１２に記載の発明は、特に、稼動部の形状は、球体状である請求項１１記載の電気機械変換器であり、この構成により、球体状ウエイトのころがりによる慣性モーメント効果で、外部の振動エネルギーからの電気エネルギーへの変換効率を向上させることができる。
【００２７】
本発明の請求項１３に記載の発明は、特に、ウエイトとして、少なくとも蓄電池を使用して構成した請求項９に記載の電気機械変換器であり、この構成により、重量のある蓄電池をウエイトとして共用するので、蓄電機能を有した電気機械変換器の軽量化を図ることができる。
【００２８】
本発明の請求項１４に記載の発明は、特に、ウエイトとして、蓄電機能、整流機能、または充電機能のいずれかを使用して構成した請求項９に記載の電気機械変換器であり、この構成により、重量のある蓄電機能、整流機能、充電機能をウエイトとして共用するので、蓄電機能、整流機能、充電機能を有した電気機械変換器の軽量化を図ることができる。
【００２９】
本発明の請求項１５に記載の発明は、特に、請求項１〜４のいずれか一つに記載の電気機械変換器が複数搭載され、各々の電気機械変換器における振動系部品の振動方向を少なくとも２つ以上に異ならしめた移動体装置であり、この構成により、さまざまな方向の振動を捉えやすくすることができるので、振動方向の影響を小さくし、振動エネルギーから電気エネルギーへの変換効率を向上させることができる。
【００３０】
【発明の実施の形態】
（実施の形態１）
以下、本発明の実施の形態１について、本発明の特に請求項１に記載の発明について図面を参照しながら説明する。
【００３１】
図１は、本発明の電気機械変換器の回路図である。
【００３２】
図１において、電気機械変換器７５はボイスコイル２８にスイッチ５０を備えてあり、このスイッチ５０は外部振動を付加したとき、逆起電力を取り出す第１モード５１に接続し（図１（ａ））、一方、オーディオ聴取時に、前記第１モード５１を開放してオーディオ信号を供給する第２モード５２に接続する構成（図１（ｂ））となっている。すなわち、図１（ａ）のときは発電機として機能し、図１（ｂ）のときはスピーカとして機能する。この構成が、本実施の形態の特徴である。この構成により、電気機械変換器７５はスピーカとして電力を消費するだけでなく、発電機としての働きをすることもできるので、トータル的に電力消費を抑制し、バッテリー上がりを軽減することが可能となる。
【００３３】
（実施の形態２）
以下、本発明の実施の形態２について、本発明の特に請求項２に記載の発明について図面を参照しながら説明する。
【００３４】
図２は、本発明の一実施の形態における電気機械変換器の回路図である。
【００３５】
図２において、オーディオ信号を供給するボイスコイル２８に加え、このボイスコイル２８に作用する振動により発生する逆起電力を取り出す補助コイル２８Ａが並設されている。この補助コイル２８Ａは発電コイルとしての作用をすることができるので、電気機械変換器７５の発電機としての効果を高めることができ、バッテリー上がりの軽減にさらなる効果を有する。
【００３６】
（実施の形態３）
以下、本発明の実施の形態３について、本発明の特に請求項３〜５に記載の発明について、図面を参照しながら説明する。
【００３７】
図３、図４、図５は、本発明の一実施の形態における電気機械変換器の回路図である。
【００３８】
図３において、電気機械変換器７５のスイッチ５０は、逆起電力を取り出す第１モード５１に接続されており、ボイスコイル２８および補助コイル２８Ａに作用する外部振動にて発生する逆起電力を取り出す（図３（ａ））。また、このボイスコイル２８は、スイッチ５０を介してオーディオ信号を供給する第２モード５２に接続され、オーディオ信号を取得することも可能である（図３（ｂ））。通常オーディオを聴取しないとき、すなわちスピーカとしての電源がオフのときには、図３（ａ）のように、逆起電力を取り出す第１モード５１にスイッチ５０を接続すれば、ボイスコイル２８と補助コイル２８Ａが発電コイルとしての作用をするため、電気機械変換器７５の発電機としての効果をさらに高めることができる。
【００３９】
一方、図４において、スイッチ５０は、オーディオ聴取時には第２モード５２に接続され、スピーカとしてオーディオ信号を供給している（図４（ａ））。また、補助コイル２８Ａはスイッチ５０を介して第１モード５１に接続され、逆起電力を取り出すことも可能である（図４（ｂ））。オーディオ聴取時、すなわちスピーカ７５の電源がオンのときには、図４（ａ）のように、オーディオ信号を供給する第２モード５２にスイッチ５０を接続すれば、ボイスコイル２８と補助コイル２８Ａがともにボイスコイルとしての作用をするため、電気機械変換器７５であるスピーカからのオーディオ信号の供給をより安定したものにすることができる。
【００４０】
また、図５において、通常はスイッチ５０が第１モード５１に接続されているが（図５（ａ））、オーディオ信号を検出するとボイスコイル２８、補助コイル２８Ａともにスイッチ５０が第２モード５２に切り換えられる構造（図５（ｂ））になっているので、スピーカの電源がオン、オフいずれの状態においても、ボイスコイル２８と補助コイル２８Ａを効率よく使用することができ、電気機械変換器７５をスピーカ、発電機の両方の機能を効率よく使い分けることができる。
【００４１】
（実施の形態４）
以下、本発明の実施の形態４について、本発明の特に請求項６に記載の発明について、図面を参照しながら説明する。
【００４２】
図６は、本発明の一実施の形態の電気機械変換器の断面図、図７はこの電気機械変換器の使用状態を示したブロックダイヤグラム図である。
【００４３】
図６において、着磁されたマグネット２１を上部プレート２２およびヨーク２３により挟み込んで内磁型の磁気回路２４を構成している。この磁気回路２４の磁気ギャップ２５にはまり込むように結合されたボイスコイル２８と、このボイスコイル２８に結合された振動板２７と、この振動板２７の外周部を固定したフレーム２６を備えて電気機械変換器７５を構成している。そして電気機械変換器７５の磁気回路２４の近傍に蓄電機能として蓄電池３３を設置するとともに、この蓄電池３３とボイスコイル２８への電流を入出するためのターミナル３０，３１をフレーム２６に結合している。
【００４４】
また、図７において、電気機械変換器７５と、この電気機械変換器７５を駆動するためのシステムが接続されている。このシステムは、蓄電池３３，７０の電力を電源部７１に供給してプログラムソースを提供するプレーヤ部７２や通信機能部７３を駆動して、増幅部７４により電気機械変換器７５を駆動できるレベルにまで増幅して、電気機械変換器７５に供給している。
【００４５】
一方、この蓄電池７０の電力を確保する手段としては、携帯電話や携帯パソコンのような小型の装置では、装置の内部に設けられた蓄電池７０に家庭用の一般交流電源コンセントからの電力により、外部の充電装置７６に接続して充電することで電力を確保している。本発明は、この従来の充電方法以外に、充電装置７６を使用せずに携帯して移動しているときには、移動中の振動により電気機械変換器７５の振動系部品が振動して、この振動によりボイスコイル２８に発生した電力を外部の整流機能７７で整流して、充電機能７８にて電気機械変換器７５に接続された蓄電池３３，７０に供給して蓄電している。
【００４６】
この構成とすることで、内部発電による電力のみで使用可能となり、外部電源での充電を不要とすることができる。
【００４７】
また、自動車用の音響装置であれば、上記のような電気機械変換器７５に結合された蓄電池３３への蓄電以外に、自動車に取り付けられた蓄電池７０との電力の受け渡しも可能となる。よって、スピーカを駆動していないときは、自動車走行時の振動により発電を実施して、電気機械変換器７５に結合された蓄電池３３への蓄電だけでなく、自動車に取り付けられた蓄電池７０へも蓄電することで、自動車のバッテリー上がりを軽減することができる。
【００４８】
（実施の形態５）
以下、本発明の実施の形態５について、本発明の特に請求項７に記載の発明について、図面を参照しながら説明する。
【００４９】
図８は、本発明の一実施の形態の電気機械変換器の使用状態を示したブロックダイヤグラム図である。
【００５０】
本実施の形態の特徴は、蓄電池３３に加えて整流機能７７と、充電機能７８とを備えて構成したことである。
【００５１】
この構成により蓄電池３３に蓄電するための整流機能７７と、充電機能７８とを電気機械変換器７５に備えているため、外部の電子回路を必要とせずに、電気機械変換器７５を整流機能７７と充電機能７８とを一体化して形成することができる。
【００５２】
（実施の形態６）
以下、本発明の実施の形態６について、本発明の特に請求項８に記載の発明について、図面を参照しながら説明する。
【００５３】
図９は、本発明の一実施の形態の電気機械変換器の断面図である。
【００５４】
本実施の形態の特徴は、電気機械変換器を構成する振動系部品のうち、少なくともその一部品の重量を重くした点である。当実施の形態の場合、振動板２７の重量を重くしている。
【００５５】
この構成により、装置を使用せずに携帯して移動しているときには、移動中の振動により電気機械変換器７５の振動系部品が振動して、この振動によりボイスコイル２８に発生した電力を蓄電池３３に供給して蓄電しているが、この振動板２７の重量を重くすることで、移動中の振動を重量の重い大きな慣性モーメントで捉えることができるので、外部の振動エネルギーからの電気エネルギーへの変換効率を向上させることができ、電気機械変換器７５の発電効率を向上させることができる。
【００５６】
（実施の形態７）
以下、本発明の実施の形態７について、本発明の特に請求項９に記載の発明について、図面を参照しながら説明する。
【００５７】
図１０は、本発明の一実施の形態の電気機械変換器の断面図である。
【００５８】
本実施の形態の特徴は、振動系部品にウエイト２９を設けた点である。この構成により、振動系部品にウエイト２９を設けて、重量を重くすることで、移動中の振動を重量の重い大きな慣性モーメントで捉えることができるので、外部の振動エネルギーからの電気エネルギーへの変換効率を向上させることができ、電気機械変換器７５の発電効率を向上させることができる。
【００５９】
（実施の形態８）
以下、本発明の実施の形態８について、本発明の特に請求項１０に記載の発明について、図面を参照しながら説明する。
【００６０】
図１１は、本発明の一実施の形態の電気機械変換器の断面図である。
【００６１】
本実施の形態の特徴は、振動系部品に設けられたウエイト２９を、支持体３４により移動可能になるように構成した点である。この構成により、ウエイト２９の支持体３４により、移動中の振動を捉えて慣性モーメントにより機械的に増幅することができるので、外部の振動エネルギーからの電気エネルギーへの変換効率を向上させることができ、電気機械変換器７５の発電効率を向上させることができる。
【００６２】
（実施の形態９）
以下、本発明の実施の形態９について、本発明の特に請求項１１に記載の発明について、図面を参照しながら説明する。
【００６３】
図１２は、本発明の一実施の形態の電気機械変換器の断面図である。
【００６４】
本実施の形態の特徴は、振動系部品に設けられたウエイト２９を、振動系部品に固定された固定フレーム部２９ａと、この固定フレーム部２９ａに対して移動可能になるように設けられた稼動部２９ｂから構成された点である。この構成により、ウエイト２９の稼動部２９ｂにより、移動中の振動を捉えて慣性モーメントにより機械的に増幅することができるので、外部の振動エネルギーからの電気エネルギーへの変換効率を向上させることができ、電気機械変換器７５の発電効率を向上させることができる。
【００６５】
（実施の形態１０）
以下、本発明の実施の形態１０について、本発明の特に請求項１２に記載の発明について、図面を参照しながら説明する。
【００６６】
図１３は、本発明の一実施の形態の電気機械変換器の断面図である。
【００６７】
本実施の形態の特徴は、ウエイト２９の稼動部２９ｂの形状を、球体状としたことである。この構成により、球体状の稼動部２９ｂのころがりにより、移動中の振動を捉えて慣性モーメントにより機械的に増幅して発電効率を向上させることができる。
【００６８】
また、球体状の稼動部２９ｂのころがりにより、移動中の振動が小さくても、電気機械変換器７５の向きが変われば、球体状の稼動部２９ｂがころがることができるので、外部の振動エネルギーからの電気エネルギーへの変換効率を向上させることができ、電気機械変換器７５の発電効率を向上させることができる。
【００６９】
（実施の形態１１）
以下、本発明の実施の形態１１について、本発明の特に請求項１３，１４に記載の発明について、図面を参照しながら説明する。
【００７０】
図１４は、本発明の一実施の形態の電気機械変換器の断面図である。
【００７１】
本実施の形態の特徴は、ウエイトとして、蓄電池３３かもしくは整流機能、または充電機能のいずれかを使用して構成したことである。
【００７２】
この構成により、重量のある蓄電池３３かもしくは、整流機能、充電機能のいずれかをウエイトとして共用することで、蓄電機能を有した電気機械変換器７５の軽量化を図ることができる。
【００７３】
（実施の形態１２）
以下、本発明の実施の形態１２について、本発明の特に請求項１５に記載の発明について、図面を参照しながら説明する。
【００７４】
図１５は、本発明の一実施の形態の電気機械変換器の断面図である。
【００７５】
本実施の形態の特徴は、移動体装置に少なくとも２つ以上の振動方向が異なる電気機械変換器７５を備えて構成したものである。この構成により、さまざまな方向の振動を捉えやすくできるので、振動方向の影響を小さくすることができ、振動エネルギーからの電気エネルギーへの変換効率を向上させることができ、電気機械変換器７５の発電効率を向上させることができる。
【００７６】
さらに、移動体装置に３つの振動方向が異なる電気機械変換器７５を備えて構成すれば、振動方向を３次元方向で捉えることができ、発電効率をさらに向上させることができる。
【００７７】
なお、移動体装置としては、携帯電話のみならず、自動車、自転車、単車、電車、船舶、航空機等の移動手段、さらには、工事用設備機器や生産設備、信頼性試験設備等の振動を有する装置に広く応用することも可能である。
【００７８】
【発明の効果】
以上のように、本発明は、ボイスコイルに逆起電力を取り出すスイッチを設けた電気機械変換器を構成したものである。この構成により電気機械変換器はスピーカとしての役目だけでなく、移動中の振動を利用して発電機の役目を果たすことができる。よってスピーカとして電力消費を抑制するだけでなく、発電機として使用することもできるので、装置のバッテリー上がりを軽減させることができる。
【００７９】
この発明によれば、携帯電話や自動車の省エネルギー化、良好な地球環境対応を実現できる優れた電気機械変換器を提供することができる。
【図面の簡単な説明】
【図１】（ａ），（ｂ）はそれぞれ本発明の一実施の形態における電気機械変換器の回路図
【図２】本発明の一実施の形態における電気機械変換器の回路図
【図３】（ａ），（ｂ）はそれぞれ本発明の一実施の形態における電気機械変換器の回路図
【図４】（ａ），（ｂ）はそれぞれ本発明の一実施の形態における電気機械変換器の回路図
【図５】（ａ），（ｂ）はそれぞれ本発明の一実施の形態における電気機械変換器の回路図
【図６】本発明の一実施の形態における電気機械変換器の断面図
【図７】本発明の一実施の形態におけるブロックダイヤグラム図
【図８】本発明の別の実施の形態におけるブロックダイヤグラム図
【図９】本発明の別の実施の形態における電気機械変換器の断面図
【図１０】本発明の別の実施の形態における電気機械変換器の断面図
【図１１】本発明の別の実施の形態における電気機械変換器の断面図
【図１２】本発明の別の実施の形態における電気機械変換器の断面図
【図１３】本発明の別の実施の形態における電気機械変換器の断面図
【図１４】本発明の別の実施の形態における電気機械変換器の断面図
【図１５】本発明の別の実施の形態における電気機械変換器の断面図
【図１６】従来の電気機械変換器の断面図
【図１７】従来の形態におけるブロックダイヤグラム図
【符号の説明】
２８  ボイスコイル
５０  スイッチ
５１  第１モード
５２  第２モード
７５  電気機械変換器
【図１】
2004221743.tif 000003
【図２】
2004221743.tif 000004
【図３】
2004221743.tif 000005
【図４】
2004221743.tif 000006
【図５】
2004221743.tif 000007
【図６】
2004221743.tif 000008
【図７】
2004221743.tif 000009
【図８】
2004221743.tif 000010
【図９】
2004221743.tif 000011
【図１０】
2004221743.tif 000012
【図１１】
2004221743.tif 000013
【図１２】
2004221743.tif 000014
【図１３】
2004221743.tif 000015
【図１４】
2004221743.tif 000016
【図１５】
2004221743.tif 000017
【図１６】
2004221743.tif 000018
【図１７】
2004221743.tif 000019